(57)【要約】【課題】コンタクトガラス面上の原稿スケールの段差による原稿の浮き上がりを防止するとともに、カールした原稿の腰が強い場合であっても、安定した押圧力を有する加圧コロを備えた自動原稿搬送装置を提供すること。【解決手段】搬送ベルト１０の移動方向と直交する方向に配設された複数のコロからなるコロ列が搬送ベルトの移動方向にわたって離隔して設けられることにより前記搬送ベルトをコンタクトガラスに押圧する中央加圧部材１１ａ、１２ａ、１３ａ、１４ａと、中央加圧部材１１ａ、１２ａ、１３ａ、１４ａの各コロ列の軸延長上で、且つ、コンタクトガラス２端部近傍にて、コンタクトガラス２及び搬送ベルト１０間に生ずる間隙を減少させるよう搬送ベルトを押圧する端部加圧コロ１１ｂ、１２ｂ、１３ｂ、１４ｂとを備える。【選択図】      図３
2004292064.tif 000002
【特許請求の範囲】
【請求項１】
原稿載置台に載置された原稿束から原稿を１枚ずつ分離して給紙する給紙手段と、
前記給紙手段によって、給紙された原稿をコンタクトガラス上の読取位置に搬送する搬送手段と、
コンタクトガラスの端部に設けられ読取基準位置を構成する原稿スケールと、
読取位置にて読取られた原稿を排紙する排紙手段とを備え、
前記搬送手段が、
駆動ローラ及び従動ローラ間に張設され前記コンタクトガラス及び前記原稿スケールを覆う無端状の搬送ベルトと、
前記搬送ベルトの移動方向と直交する方向に配設された複数のコロからなるコロ列が前記搬送ベルトの移動方向にわたって離隔して設けられることにより前記搬送ベルトを前記コンタクトガラスに押圧する中央加圧部材と、
前記中央加圧部材の各コロ列の軸延長上で、且つ、前記コンタクトガラス端部近傍にて、前記コンタクトガラス及び前記搬送ベルト間に生ずる間隙を減少させるよう搬送ベルトを押圧する端部加圧コロとを備え、
前記端部加圧コロは、前記中央加圧部材とは独立して前記搬送ベルトを押圧することを特徴とする自動原稿搬送装置。
【請求項２】
前記コロ列のコロがそれぞれ独立して前記搬送ベルトを押圧することを特徴とする請求項１記載の自動原稿搬送装置。
【請求項３】
前記中央加圧部材のコロ及び前記端部加圧コロの外径が、前記駆動ローラ及び前記従動ローラの外径と同径であることを特徴とする請求項１又は２記載の自動原稿搬送装置。
【発明の詳細な説明】
【０００１】
【発明の属する技術分野】
本発明は、複写機、ファクシミリ装置、スキャナ等に装着された自動原稿搬送装置に関する。
【０００２】
【従来の技術】
従来、複写機等の画像読取装置に搭載された自動原稿搬送装置は、分離・給紙機構、搬送機構、排紙機構からなり、分離・給紙機構から原稿読取位置まで原稿を搬送する手段として、駆動ローラ及び従動ローラに巻き付けられた搬送ベルトと、駆動ローラ及び従動ローラの間にてコンタクトガラス面に搬送ベルトを押圧するよう原稿搬送方向と直交する方向に同軸にて配設された複数の加圧コロとを備えたものが知られている（例えば、特許文献１参照）。
【０００３】
【特許文献１】
特開平８−２６８５９１号公報（第３頁、第２図）
【０００４】
【発明が解決しようとする課題】
しかしながら、上記従来の搬送ベルト機構を備えた自動原稿搬送装置においては、原稿搬送方向と直交する方向に一軸にて複数のコロを配置した加圧コロ列を原稿搬送方向にわたって複数列設け、搬送ベルトを均等な押圧力で押圧しているが、搬送ベルト端部付近に原稿基準となるよう設けられた原稿スケールの段差によって搬送ベルトとコンタクトガラスとの間に隙間ができてしまい、浮き上がった部分を読取ることができず、原稿の読取不良が発生してしまうという問題があった。また、同様に加圧コロ列は一軸にて構成されているため、カールした原稿の腰の強さによっては、一部分のコロが浮いた場合、同軸に配置された他のコロにも影響して均等な押圧ができなくなり、搬送ベルトがコンタクトガラス面に均等に押圧されず、画像読取の際に画像ゆがみが生ずるという問題もあった。
【０００５】
そこで本発明では、コンタクトガラス面上の原稿スケールの段差による原稿の浮き上がりを防止するとともに、カールした原稿の腰が強い場合であっても、安定して押圧力を有する加圧コロを備えた自動原稿搬送装置を提供することを目的とする。
【０００６】
【課題を解決するための手段】
上記課題を解決するため、本発明に係る自動原稿搬送装置は、原稿載置台に載置された原稿束から原稿を１枚ずつ分離して給紙する給紙手段と、前記給紙手段によって、給紙された原稿をコンタクトガラス上の読取位置に搬送する搬送手段と、コンタクトガラスの端部に設けられ読取基準位置を構成する原稿スケールと、読取位置にて読取られた原稿を排紙する排紙手段とを備え、前記搬送手段が、駆動ローラ及び従動ローラ間に張設され前記コンタクトガラス及び前記原稿スケールを覆う無端状の搬送ベルトと、前記搬送ベルトの移動方向と直交する方向に配設された複数のコロからなるコロ列が前記搬送ベルトの移動方向にわたって離隔して設けられることにより前記搬送ベルトを前記コンタクトガラスに押圧する中央加圧部材と、前記中央加圧部材の各コロ列の軸延長上で、且つ、前記コンタクトガラス端部近傍にて、前記コンタクトガラス及び前記搬送ベルト間に生ずる間隙を減少させるよう搬送ベルトを押圧する端部加圧コロとを備え、前記端部加圧コロは、前記中央加圧部材とは独立して前記搬送ベルトを押圧することを特徴としている。
【０００７】
この構成により、搬送ベルトを押圧する中央加圧部材の延長上で且つ、コンタクトガラス端部近傍に中央加圧部材とは独立した加圧方式を有する端部加圧コロを備えるようになっているため、原稿スケールの段差による搬送ベルトとコンタクトガラスの浮きを防止し、またカール原稿によるコンタクトガラス面の原稿浮きを防止でき、出力される画像のゆがみを生じることがない自動原稿搬送装置が得られる。
【０００８】
また、本発明に係る自動原稿搬送装置は、前記コロ列のコロがそれぞれ独立して前記搬送ベルトを押圧することを特徴としている。
【０００９】
この構成により、本発明に係る自動原稿搬送装置は、搬送ベルトを押圧するそれぞれの加圧コロが独立しているため、原稿の部分的なカールや折れに対してコンタクトガラス面からの原稿浮きを防止することができるとともに、出力される画像のゆがみを防止することができる。
【００１０】
また、本発明に係る自動原稿搬送装置は、前記中央加圧部材のコロ及び前記端部加圧コロの外径が、前記駆動ローラ及び前記従動ローラの外径と同径であることを特徴としている。
【００１１】
この構成により、本発明に係る自動原稿搬送装置は、搬送ベルト自体のたるみ量を安定させ、さらに前記端部加圧コロの作用により、原稿スケールの段差による搬送ベルトとコンタクトガラスの浮きを防止することができるとともに、またカール原稿によるコンタクトガラス面の原稿浮きを防止でき、出力される画像のゆがみを生ずることがない。
【００１２】
【発明の実施の形態】
以下、本発明の好ましい実施形態を図面に基づいて説明する。
【００１３】
まず、図１〜図５を用いて本発明に係る自動原稿搬送装置の第１の実施の形態を説明することとする。
【００１４】
図１は本発明の第１の実施の形態に係る自動原稿搬送装置の全体構成図であり、図２は本発明の第１の実施の形態に係る自動原稿搬送装置の搬送手段を示す上面図であり、図３は本発明の第１の実施の形態に係る自動原稿搬送装置の加圧部材の配置例を示す上面図であり、図４は加圧部材により加圧される搬送ベルトの加圧箇所を示す要部説明図であり、図５は本発明の第１の実施の形態における搬送ベルトを駆動する構成図である。
【００１５】
図１において複写機、ファクシミリ装置、スキャナ装置等の画像読取装置１には、その上面に原稿セット面であるコンタクトガラス２があり、この画像読取装置１の内部には図示しない画像読取用の光学系が内蔵されており、原稿セット面であるコンタクトガラス２は透明なガラス材で構成されている。
【００１６】
このような画像読取装置１上には、自動原稿搬送装置３が設置され、自動原稿搬送装置３は主に原稿載置台７に載置された原稿束から原稿を１枚ずつ分離して給紙する給紙手段４、給紙手段４によって給紙された原稿をコンタクトガラス上の読取位置に搬送する搬送手段５、該読取位置にて読取られた原稿を排紙する排紙手段６から構成されており、原稿載置台７にセットされた原稿は給紙手段４を通り、搬送手段５へと搬送される。この搬送手段５は、駆動ローラ８と従動ローラ９とに巻き付けられた搬送ベルト１０から構成され、駆動ローラ８と従動ローラ９との間には、搬送ベルト１０をコンタクトガラス２へ押圧するための加圧部材１１〜１４が複数列配置されている。
【００１７】
搬送手段５は、図２に示すように、搬送ベルト１０に接する駆動ローラ８の端部に設けられるプーリ１５、該プーリ１５と所定距離離隔して設けられたプーリ１６、プーリ１５及びプーリ１６に張設されるタイミングベルト１７、及びプーリ１６に連結し駆動力を伝達する搬送モータ１８からなる駆動構成を有しており、図示されない制御手段によって駆動され、駆動ローラ８及び従動ローラ９間に張設される搬送ベルト１０にて原稿を原稿セット面であるコンタクトガラス２の所定読取位置に搬送するようになっている。
【００１８】
加圧部材１１〜１４は、図３に示すように、搬送ベルト１０の移動方向、つまり原稿搬送方向に対し直交する方向に複数のコロからなるコロ列を配設し、該コロ列を搬送ベルトの移動方向にわたって離隔して複数設けることにより搬送ベルト１０をコンタクトガラス２に押圧する中央加圧部材１１ａ、１２ａ、１３ａ、１４ａと、該中央加圧部材１１ａ、１２ａ、１３ａ、１４ａの各コロ列の軸延長上で、且つ、コンタクトガラス端部近傍に端部加圧コロ１１ｂ、１２ｂ、１３ｂ、１４ｂを備えている。
【００１９】
なお、ここでコンタクトガラス端部には読取基準位置を構成する原稿スケール１９が設けられているが、該原稿スケール１９と搬送ベルト１０は重なる部分があり、原稿スケール１９と搬送ベルト１０の重なり長さはｌ１で示すとおりである。
【００２０】
この原稿スケール１９と搬送ベルト１０が重なる部分は図４（ａ）に示すとおり、コンタクトガラス２の面に対し原稿スケール１９が段差（やや凸）となっているため、本発明を適用しない構成の場合は、コンタクトガラス２と搬送ベルト１０との間に図４（ａ）の斜線部に示すように原稿スケール１９の端部から加圧部材１１ａの端部までの長さｌ２に亘って間隙が生ずることとなる。
【００２１】
その間隙において波打ち原稿やカール原稿が搬送されることとなると、コンタクトガラス２からの浮きが発生するため、その間隙の近傍に端部加圧コロ１１ｂ、１２ｂ、１３ｂ、１４ｂを配設する。端部加圧コロ１１ｂ、１２ｂ、１３ｂ、１４ｂを配置することにより、図４（ａ）の斜線部に示す間隙を図４（ｂ）の斜線部に示すような原稿スケール１９の端部から端部加圧コロ１１ｂの端部までの長さｌ３に亘る間隙へと減ずることができる。
【００２２】
また、中央加圧部材１１ａ〜１４ａ及び端部加圧コロ１１ｂ、１２ｂ、１３ｂ、１４ｂは、図５に示すように、コロ部材を板バネ２０により回転自在に軸支するよう構成されており、板バネ２０のたわみにより加圧する方式またはコロ部材及び連結軸自体の重量にて搬送ベルト１０をコンタクトガラス２へ押圧している。それらの押圧力は、端部加圧コロ１１ｂ、１２ｂ、１３ｂ、１４ｂがそれぞれ独立しているため、中央加圧部材１１ａ、１２ａ、１３ａ、１４ａの押圧に影響を与えることがない構成となっている。
【００２３】
以上のような搬送手段５を経由して画像読取装置１にて画像が読取られた原稿は、排紙手段６により排出されることとなる。
【００２４】
以上説明したように、本実施形態では、原稿載置台７に載置された原稿束から原稿を１枚ずつ分離して給紙する給紙手段４と、給紙手段４によって、給紙された原稿をコンタクトガラス２上の読取位置に搬送する搬送手段５と、コンタクトガラス２の端部に設けられ読取基準位置を構成する原稿スケール１９と、読取位置にて読取られた原稿を排紙する排紙手段６とを備え、搬送手段５が、駆動ローラ８及び従動ローラ９間に張設されコンタクトガラス２及び原稿スケール１９を覆う無端状の搬送ベルト１０と、搬送ベルト１０の移動方向と直交する方向に配設された複数のコロからなるコロ列が搬送ベルトの移動方向にわたって離隔して設けられることにより搬送ベルトをコンタクトガラスに押圧する中央加圧部材１１ａ、１２ａ、１３ａ、１４ａと、中央加圧部材１１ａ、１２ａ、１３ａ、１４ａの各コロ列の軸延長上で、且つ、コンタクトガラス２端部近傍にて、コンタクトガラス２及び搬送ベルト１０間に生ずる間隙を減少させるよう搬送ベルト１０を押圧する端部加圧コロ１１ｂ、１２ｂ、１３ｂ、１４ｂとを備え、端部加圧コロ１１ｂ、１２ｂ、１３ｂ、１４ｂは、中央加圧部材１１ａ、１２ａ、１３ａ、１４ａとは独立して搬送ベルト１０を押圧することにより、コンタクトガラス２面上の原稿スケール１９の段差による原稿の浮き上がりを防止するとともに、カールした原稿の腰が強い場合であっても、安定した押圧力を加えることで、画像読取時に生ずる画像ゆがみ等を防止することができる。
【００２５】
なお、本発明の第１の実施の形態においては、中央加圧部材のコロ及び端部加圧コロの外径を、駆動ローラ８及び従動ローラ９の外径と同径とすることで、搬送ベルト１０自体のたるみ量を均一にすることができ、搬送ベルト１０をコンタクトガラス２面へさらに安定して押圧することができる。
【００２６】
次に本発明に係る自動原稿搬送装置の第２の実施の形態を説明することとするが、第１の実施の形態と同様の構成及び処理については説明を省略し、特徴部分のみ説明することとする。
【００２７】
本発明の第２の実施の形態における特徴部分は図６に示すように、第１の実施の形態において、中央加圧部材が各コロ列毎に一軸に複数のコロ部材が配列されていたものを、それぞれ独立の加圧方式としたことを特徴とするものである。
【００２８】
この構成により、搬送ベルト１０を押圧するそれぞれの加圧コロが独立しているため、原稿の部分的なカールや折れに対してコンタクトガラス２面からの原稿浮きを防止することができるとともに、出力される画像のゆがみを防止することができることとなる。
【００２９】
なお、本発明の第２の実施の形態においても、中央加圧部材のコロ及び端部加圧コロの外径を、駆動ローラ８及び従動ローラ９の外径と同径とすることで、搬送ベルト１０自体のたるみ量を均一にすることができ、搬送ベルト１０をコンタクトガラス２面へさらに安定して押圧することができる。
【００３０】
【発明の効果】
以上説明したように、本発明によれば、搬送ベルトを押圧する中央加圧部材の延長上で且つ、コンタクトガラス端部近傍に中央加圧部材とは独立した加圧方式を有する端部加圧部材を備えるようになっているため、原稿スケールの段差による搬送ベルトとコンタクトガラスの浮きを防止し、またカール原稿によるコンタクトガラス面の原稿浮きを防止でき、出力される画像の歪みを生じることがない自動原稿搬送装置を提供することができる。
【００３１】
また、本発明によれば、搬送ベルトを押圧するそれぞれの加圧コロが独立しているため、原稿の部分的なカールや折れに対してコンタクトガラス面からの原稿浮きを防止することができるとともに、出力される画像のゆがみを防止することができる自動原稿搬送装置を提供することができる。
【００３２】
また、本発明によれば、中央加圧部材のコロ及び端部加圧コロの外径を、駆動ローラ及び従動ローラの外径と同径とすることで、搬送ベルト自体のたるみ量を均一にすることができ、搬送ベルトをコンタクトガラス面へさらに安定して押圧することができる。
【図面の簡単な説明】
【図１】本発明の第１の実施の形態に係る自動原稿搬送装置の全体構成図である。
【図２】本発明の第１の実施の形態に係る自動原稿搬送装置の搬送手段を示す上面図である。
【図３】本発明の第１の実施の形態に係る自動原稿搬送装置の加圧部材の配置例を示す上面図である。
【図４】（ａ）は従来の加圧部材により加圧される搬送ベルトの加圧箇所を示す要部説明図であり、（ｂ）は、本発明の第１の実施の形態に係る自動原稿搬送装置の加圧部材により加圧される搬送ベルトの加圧箇所を示す要部説明図である。
【図５】本発明の第１の実施の形態における端部加圧コロの構成を示す斜視図である。
【図６】本発明の第２の実施の形態に係る自動原稿搬送装置の加圧部材の配置例を示す上面図である。
【符号の説明】
１  画像読取装置
２  コンタクトガラス
３  自動原稿搬送装置
４  給紙手段
５  搬送手段
６  排紙手段
７  原稿載置台
８  駆動ローラ
９  従動ローラ
１０  搬送ベルト
１１ａ  中央加圧部材
１１ｂ  端部加圧コロ
１２ａ  中央加圧部材
１２ｂ  端部加圧コロ
１３ａ  中央加圧部材
１３ｂ  端部加圧コロ
１４ａ  中央加圧部材
１４ｂ  端部加圧コロ
１９  原稿スケール
【図１】
2004292064.tif 000003
【図２】
2004292064.tif 000004
【図３】
2004292064.tif 000005
【図４】
2004292064.tif 000006
【図５】
2004292064.tif 000007
【図６】
2004292064.tif 000008